(57)【要約】【課題】  民間企業とマッサージ施術施設の物理的な距離をなくし、また、民間企業自身がマッサージ師を雇用する又はマッサージ施術施設を造るというリスクをなくす。【解決手段】  民間企業が使用している事務所や工場の内部に、マッサージ師と折りたたみ可能なマッサージ用ベッドを運搬してそれらを設置し、その民間企業の労働者又は使用者の営業時間帯内にそれらの人々にマッサージを提供し、一定時間が経過した後に上記マッサージ師及びベッドを撤去する業務に実施されるマッサージ施術施設であって、マッサージ師がマッサージを行うために歩き回ることができるスペースと、折りたたみ可能なマッサージ用ベッドを人間がそのベッドの上で全身を横にすることができるように広げて設置するスペースとから成り、マッサージ用ベッドを広げて設置するスペースがマッサージ施術施設全体のスペースの２５％以下であることを特徴とする。【特許請求の範囲】
【請求項１】
民間企業が所有又は賃貸している事務所若しくは工場の内部に、マッサージ国家免許を持つマッサージ師及び折りたたみ可能なマッサージ用ベッドを任意の輸送手段で運搬してマッサージ施術施設を設置し、その民間企業の労働者又は使用者に対して、それらの人々が営業している時間帯内にそれらの人々にマッサージ施術サービスを提供し、一定の時間が経過した後にマッサージ国家免許を持つマッサージ師及び折りたたみ可能なマッサージ用ベッドを任意の輸送手段で運搬してマッサージ施術施設を撤去する業務において実施されるマッサージ施術施設であって、マッサージ国家免許を持つマッサージ師がマッサージ施術のために歩き回ることができるスペースと、折りたたみ可能なマッサージ用ベッドの上で人間が全身を横にすることができるようにそのベッドを広げて置くスペースとから成り、折りたたみ可能なマッサージ用ベッドを広げて置くスペースがマッサージ施術施設全体のスペースの２５％以下であることを特徴とするマッサージ施術施設。
【発明の詳細な説明】
【技術分野】
【０００１】  本発明は、民間企業の内部でマッサージを施術するための施設に関する。
【背景技術】
【０００２】  従来、マッサージ施術施設は諸々の民間企業とは別の場所に独立して存在している。【０００３】  また、一部の民間企業の中には、ヘルスキーパー制度を採用しているものも存在する。ヘルスキーパー制度とは、民間企業がマッサージの国家免許を持っているマッサージ師を労働者として雇用し、その民間企業内に設備投資の形でマッサージ施術施設を造り、そのマッサージ施術施設内において雇用したマッサージ師にマッサージ施術サービスを行わせるという制度である。このように、ヘルスキーパー制度を採用している一部の民間企業においては、その民間企業内にマッサージ施術施設が存在している場合もある。【０００４】  なお、本願発明に関する公知技術として次の非特許文献１を挙げることができる。
【非特許文献１】  「医道の日本  臨時増刊Ｎｏ．５」（医道の日本社、２０００年４月１０日発行）第１０３頁〜第１１２頁
【発明の開示】
【発明が解決しようとする課題】
【０００５】  上述の如く、従来のマッサージ施術施設は民間企業とは別の場所に独立して存在しているため、その民間企業の労働者又は使用者にとっては、マッサージ施術施設までの物理的な距離が存在し、それらの人々がマッサージを受けるために多くの時間を必要とさせている。【０００６】  また、ヘルスキーパー制度におけるマッサージ施術施設は、マッサージ師の雇用及びマッサージ施術施設を造るための設備投資が必要であり、民間企業にとってはリスクが高く、潤沢な資金を持つ一部の民間企業のみが利用することのできるマッサージ施術施設である。【０００７】  上述の事情により、多くの民間企業の労働者又は使用者は、肩こりや腰痛、職場ストレスなど心身の状態がマッサージの施術を必要とする状態になっていたとしても、営業時間帯内にマッサージを受けることが困難であった。その結果、それらの人々は苦痛な心身の状態を持続させながら営業時間をすごさなければならなかった。【０００８】  本発明は、このような点に鑑みて成されたものであり、その目的は、民間企業の労働者又は使用者が営業時間帯内にマッサージを受けることを妨げる要因である、マッサージ施術施設までの物理的な距離の制約や、民間企業がマッサージ師を雇用すること及びその民間企業内にマッサージ施術施設を造るというリスクを取り除き、どの民間企業の労働者又は使用者でも営業時間帯内にマッサージを受けることができるようにすることである。
【課題を解決するための手段】
【０００９】  上述の目的を達成する本発明のマッサージ施術施設は、民間企業が所有又は賃貸している事務所若しくは工場の内部に、マッサージ国家免許を持つマッサージ師及び折りたたみ可能なマッサージ用ベッドを任意の輸送手段で運搬してマッサージ施術施設を設置し、その民間企業の労働者又は使用者に対して、それらの人々が営業している時間帯内にそれらの人々にマッサージ施術サービスを提供し、一定の時間が経過した後にマッサージ国家免許を持つマッサージ師及び折りたたみ可能なマッサージ用ベッドを任意の輸送手段で運搬してマッサージ施術施設を撤去する業務において実施されるマッサージ施術施設であって、マッサージ国家免許を持つマッサージ師がマッサージ施術のために歩き回ることができるスペースと、折りたたみ可能なマッサージ用ベッドの上で人間が全身を横にすることができるようにそのベッドを広げて置くスペースとから成り、折りたたみ可能なマッサージ用ベッドを広げて置くスペースがマッサージ施術施設全体のスペースの２５％以下であることを特徴とする。
【発明の効果】
【００１０】  以上説明したように本発明によれば、民間企業が所有又は賃貸している事務所若しくは工場の内部に、マッサージ国家免許を持つマッサージ師及び折りたたみ可能なマッサージ用ベッドを任意の輸送手段で運搬することで設置されるマッサージ施術施設なので、その民間企業とマッサージ施術施設との物理的な距離をなくすことができる。【００１１】  民間企業とマッサージ施術施設との物理的な距離をなくすことで、その民間企業の労働者又は使用者は営業時間帯でも容易にマッサージを受けることができ、苦痛な心身の状態を持続させたまま営業時間をすごすことを避け、直ちに心身の状態を改善することができる。【００１２】  また、本発明は、民間企業の労働者又は使用者の営業時間帯に合わせてマッサージ国家免許を持つマッサージ師及び折りたたみ可能なマッサージ用ベッドを任意の輸送手段で運搬して設置及び撤去されるマッサージ施術施設であるため、その民間企業自身がヘルスキーパー制度導入という形でマッサージ師を雇用する又は設備投資によってマッサージ施術施設を造る必要がなくなる。【００１３】  よって、民間企業にとっては雇用及び設備投資というリスクを避けることができる。このため、その民間企業の規模の大小又は所有する資金の多寡といったものに関係なく、より多くの民間企業で本発明を実施することができ、ひいてはより多くの労働者又は使用者が営業時間帯でも容易にマッサージを受けることができ、苦痛な心身の状態を持続させたまま営業時間をすごすことを避け、直ちに心身の状態を改善することができるのである。【００１４】  また、本発明は、マッサージ国家免許を持つマッサージ師がマッサージを施術するために歩き回ることができるスペースと、折りたたみ可能なマッサージ用ベッドの上で人間が全身を横にすることができるようにそのベッドを広げて置くスペースとから成り、折りたたみ可能なマッサージベッドを広げて置くスペースがマッサージ施術施設全体のスペースの２５％以下であることを特長とするマッサージ施術施設であるので、マッサージ国家免許を持つマッサージ師がマッサージを行う際にしっかりと踏ん張りを利かせることができるスペースが確保され、民間企業の労働者又は使用者はマッサージ国家免許を持つマッサージ師から本来の正しいマッサージを受けることができる。【００１５】  以上説明したような効果を本発明は持っており、これはヘルスキーパー制度におけるマッサージ施術施設を含めた従来のマッサージ施術施設と比べて顕著な進歩性が存在するのである。
【発明を実施するための最良の形態】
【００１６】  以下、本発明の実施の形態を詳細に説明する。【００１７】  第一に、予め決められた予定に合わせて、民間企業が所有又は賃貸している事務所若しくは工場の内部に、マッサージ国家免許を持つマッサージ師及び折りたたみ可能なマッサージ用ベッドを任意の輸送手段で運搬する。任意の輸送手段の例としては、マッサージ国家免許を持つマッサージ師は電車又は徒歩、折りたたみ可能なマッサージ用ベッドは自動車といった手段が考えられる。【００１８】  第二に、マッサージ国家免許を持つマッサージ師及び折りたたみ可能なマッサージ用ベッドをその民間企業が所有又は賃貸している事務所若しくは工場の内部に設置する。折りたたみ可能なマッサージ用ベッドは、そのベッドの上で人間が全身を横にすることができるように広げて置く。マッサージ国家免許を持つマッサージ師及び折りたたみ可能なマッサージ用ベッドを設置する際は、マッサージ国家免許を持つマッサージ師がマッサージを施術するために歩き回ることができるスペースと、折りたたみ可能なマッサージ用ベッドの上で人間が全身を横にすることができるように広げて置くスペースとから成り、折りたたみ可能なマッサージ用ベッドを広げて設置するスペースがマッサージ施術施設全体のスペースの２５％以下になるように設置する。【００１９】  第三に、その民間企業の労働者又は使用者が、任意の時間に本発明の元に来て、マッサージ国家免許を持つマッサージ師よりマッサージを受ける。任意の時間の例としては、その民間企業の労働者又は使用者の仕事が一段落して手があいた時間が考えられる。【００２０】  第四に、一定の時間が経過した後にマッサージ国家免許を持つマッサージ師及び折りたたみ可能なマッサージ用ベッドを任意の輸送手段で運搬して、その民間企業が所有又は賃貸している事務所若しくは工場の内部からマッサージ国家免許を持つマッサージ師及び折りたたみ可能なマッサージ用ベッドを撤去する。任意の輸送手段の例としては、マッサージ国家免許を持つマッサージ師は電車又は徒歩、折りたたみ可能なマッサージ用ベッドは自動車といった手段が考えられる。【００２１】  以上が、本発明を実施するための詳細な形態である。